(57)【要約】      （修正有）【課題】衛生的に、特に清掃頻度の低い場合や便器使用者が多い場合であっても衛生的に、便座及び／又は便蓋を開閉することができる開閉補助具又はそれを用いた便器の提供。【解決手段】便座および／または便蓋に設置され、当該便座および／または便蓋を開閉するために用いられる便器用開閉補助具であって、便座および／または便蓋を開閉するために用いられる取手部１２ａと、取手部１２ａを着脱可能に保持する取手保持部１２ｂとを有する開閉補助具。【選択図】図１
2020178934.tif 000002
【特許請求の範囲】
【請求項１】
便座および／または便蓋に設置され、当該便座および／または便蓋を開閉するために用いられる便器用開閉補助具であって、
便座および／または便蓋を開閉するために用いられる取手部（Ａ）と、当該取手部（Ａ）を着脱可能に保持する取手保持部（Ｂ）とを有することを特徴とする便器用開閉補助具。
【請求項２】
前記取手保持部（Ｂ）が挟圧手段を有し、かつ取手部（Ａ）が当該挟圧手段により着脱可能に保持されていることを特徴とする請求項１に記載の開閉補助具。
【請求項３】
前記取手部（Ａ）が、筒形状を有し、かつ当該筒形状の内側において、前記取手部（Ａ）が取手保持部（Ｂ）に挿入されていることを特徴とする請求項１に記載の開閉補助具。
【請求項４】
請求項１〜３の何れか一項に記載の開閉補助具が、便座及び／又は便蓋に設置されていることを特徴とする便器。
【発明の詳細な説明】
【技術分野】
【０００１】
本発明は、便座および／または便蓋を開閉するために用いられる便器用開閉補助具およびこれを用いた便器に関する。
【背景技術】
【０００２】
西洋式便器（以下、単に「便器」と称する。）を使用し続けると、使用者の尿などの飛沫が、便器本体のみならず、便座や便蓋などにも付着して汚染される。特に、清掃頻度が小さかったり、使用者が多かったりする場合、その汚染の程度は高くなる。
【０００３】
そのため、便座や便蓋の汚染を懸念して心理的又は衛生的な不安を抱えながら、便座や便蓋を使用直前に開いたり、使用直後に閉じたりする必要があった。
【０００４】
このような問題点に対して、たとえば、特許文献１〜３には、便座や便蓋に直接触れないで、便座や便蓋に設置されて使用される開閉補助具（取手、把手）が開示されている。
【先行技術文献】
【特許文献】
【０００５】
【特許文献１】特開２０１２−１６１４６４号公報
【特許文献２】特開２０１２−２４９９２６号公報
【特許文献３】特開２００７−５４０８４号公報
【発明の概要】
【発明が解決しようとする課題】
【０００６】
しかしながら、これらの開閉補助具は、清掃直後では便座や便蓋の汚染を懸念することなく（心理的又は衛生的な不安も少なく）、便座や便蓋を開閉できるものではあるが、清掃頻度が小さかったり、使用者が多かったりする場合など開閉補助具自体が汚染されていることがあった。すなわち、開閉補助具自体の汚染によって、便座および／または便器の開閉の際に心理的又は衛生的な不安は解消されず、改善の余地があった。
そこで、本発明者らは、開閉補助具の構造を鋭意検討した結果、便座および／または便蓋を開閉するために用いられる取手部を、取手保持部に着脱可能に支持させるような構造を採用することにより、上記の課題を解決できることを見出した。
すなわち、本発明は、衛生的に、特に清掃頻度の低い場合や便器使用者が多い場合であっても衛生的に、便座及び／又は便蓋を開閉することができる開閉補助具又はそれを用いた便器を提供することを目的とするものである。
【課題を解決するための手段】
【０００７】
［１］本発明に係る便器用開閉補助具は、便座および／または便蓋に設置され、当該便座および／または便蓋を開閉するために用いられる便器用開閉補助具であって、便座および／または便蓋を開閉するために用いられる取手部（Ａ）と、当該取手部（Ａ）を着脱可能に保持する取手保持部（Ｂ）とを有することを特徴とする。
［２］本発明の便器用開閉補助具においては、前記取手保持部（Ｂ）が挟圧手段を有し、かつ取手部（Ａ）が当該挟圧手段により着脱可能に保持されていることが好ましい。
［３］本発明の便器用開閉補助具においては、前記取手部（Ａ）が、筒形状を有し、かつ当該筒形状の内側において、前記取手部（Ａ）が取手保持部（Ｂ）に挿入されていることが好ましい。
［４］さらには、本発明に係る便器は、上記何れかの便器用開閉補助具が、便座及び／又は便蓋に設置されていることを特徴とする。
【発明の効果】
【０００８】
本発明の便器用開閉補助具によれば、心理的又は衛生的な不安がなく又は少なく、衛生的に（特に清掃頻度の低い場合や便器使用者が多い場合であっても衛生的に）、便座及び／又は便蓋を開閉することができる。
【図面の簡単な説明】
【０００９】
【図１】図１（１）および（２）は、本発明に係る便器（本発明に係る便器用開閉補助具を設置した便器）を示すための図である。
【図２】図２は、本発明に係る便器用開閉補助具の一態様を示すための上面図（図２（１））とＸＸ´断面図（図２（２））である。
【図３】図２は、本発明に係る便器用開閉補助具の一態様を示すための上面図（図３（１））とＹＹ´断面図（図３（２））である。
【発明を実施するための形態】
【００１０】
以下、本発明に係る便器用開閉補助具および便器について、図面を適宜参照しながら詳細に説明する。
【００１１】
本発明に係る便器用開閉補助具は、図１（１）又は（２）に示されるように、洋式便器１０において、便座ボール１１の上部に設置されている便座１２または便蓋１３からはみ出るような状態で設置されている。ここで、本発明の便器用開閉補助具は、図１（１）〜（２）で示すように便座１２に設置されてもよいし、図示はしないが便蓋や、便座及び便蓋の両方に設置されていてもよい。さらに、本発明の便器用開閉補助具は、複数便蓋及び／または便蓋に設置されていてもよい。
【００１２】
ここで、便器用開閉補助具を設置させるための手段としては、一般的な固定手段（たとえば、ネジ、ビス、ボルトとナット、マジックテープ（登録商標）、テープ（両面テープなど）、接着剤など）が挙げられ、耐久性などを考慮して適宜選択される。あるいは、便座または便蓋を成形過程において、便座等とともに取手保持部（Ｂ）が一体的に成形されてなるものであってもよいし、取手保持部（Ｂ）と便座または便蓋とが嵌合して結合するような構造を有していてもよい。
【００１３】
使用者は、便器を使用する際には、便座及び／または便蓋を、本発明の便器用開閉補助具１４のうち取手部（Ａ）１４ａを用いて上部方向に開き、一方で便器の使用が終了した際には、取手部（Ａ）１４ａを用いて便座及び／または便蓋を下部方向に閉じることができる。そのため、便座や便蓋の汚染を懸念することなく（心理的又は衛生的な不安も少なく）、便座や便蓋を開閉できる。たとえ、取手保持部（Ｂ）１４ｂ自体が汚染されていたとしても、使用者は取手部（Ａ）１４ａを装着した後、便座等の開閉をすることができるので、便座や便蓋の汚染を懸念することなく（心理的又は衛生的な不安も少なく）、便座や便蓋を開閉できる。
【００１４】
さらには、便座や便蓋を閉じた後、取手部（Ａ）を廃棄することもできる。この場合、一層、便器用開閉補助具を衛生的なものとすることができる。なお、この態様では、後述するように、取手部（Ａ）の材質が廃棄可能なもの（特には、便座ボールに廃棄し、水で崩壊するような素材）で形成されていることが望ましい。
【００１５】
本発明の便器用開閉補助具およびそれを用いた便器は、家庭用、店舗用のみならず、公衆用などに使用されることが好ましい。特に、清掃頻度が少ない又は使用者が多い便器に好適に用いられる。また、感染症の予防を目的として、病院、老人ホームなどの各種施設の便器にも好適に用いられる。
【００１６】
本発明の開閉補助具の取手部（Ａ）は、取手保持部（Ｂ）に着脱可能な状態で保持されるものであれば特に限定されない。ここで、「着脱可能な状態」とは、取手部（Ａ）を、開閉補助具の使用前には取手保持部（Ｂ）に保持させることができ、使用後には取手保持部（Ｂ）から取り外すことができる状態を指す。
【００１７】
取手部（Ａ）の材質は特に限定されないが、たとえば、紙、布（不織布、織布など）、プラスチックなどが挙げられ、適宜選択される。
【００１８】
便器用開閉補助具を衛生的なものとする観点からは、廃棄可能なものであることが好ましい。特には、廃棄の簡便性を考慮すると、便座ボールに廃棄し、水で崩壊するような素材（たとえば、再生紙などの紙）であることが好ましい。さらに、便座ボールに廃棄する前にトイレを払拭・清掃できる観点から、このような素材（紙など）は、たとえば、公知の起毛処理により起毛させられて吸水性が向上されているものであることがより好ましい。
【００１９】
取手保持部（Ｂ）は、取手部（Ａ）を、着脱可能な状態で保持するものである限り、材質や形状は特に限定されない。
【００２０】
また、取手保持部（Ｂ）の材質として、耐久性などの観点からは、金属（ステンレスなどの鉄、銅、真鍮、アルミニウムなど）、プラスチック（軟質プラスチックや硬質プラスチックなど）、木などが挙げられる。さらには、こられの材質は、衛生性を向上させるため、抗菌処理などが施されていてもよい。
【００２１】
支持体（Ｂ）の形状は、取手部（Ａ）の形状や大きさなどを考慮して、取手部（Ａ）を着脱可能な状態に保持するものであれば限定されない。なお、後述するように、取手部（Ａ）の形状としては、正方形、長方形などのカード形状であってもよいし（図２参照）、円筒形状であってもよい（図３参照）。
【００２２】
たとえば、図２で示されるように、前記取手保持部（Ｂ）２４ｂが挟圧手段２４ｃを有し、取手部（Ａ）２４ａが当該挟圧手段２４ｃにより着脱可能に保持されている構造を採用することができる。ここで、「挟圧手段」とは、金属やプラスチックなどで構成されたクリップ、クランプなどの締め付け具など、取手部（Ａ）を挟みながら取手部（Ａ）に圧力を加えることによって保持する手段である。
【００２３】
図２（２）は、図２（１）のＸＸ´面での断面図である。図２（２）の付番２４に示されるように、クリップ構造を有する取手保持部（Ｂ）２４ａは、便座２２に設置されており、さらには、着脱可能な状態で、取手部（Ａ）２４ａを挟圧しながら保持している。ここで、取手部（Ａ）２４ａの形状は、クリップ構造を有する取手保持部（Ｂ）に挟圧させやすい形状であるために、カード形状などが好適である。
【００２４】
また。使用者は、取手部（Ａ）を用いて便座（または便蓋）を上下させて開閉することを考慮すると、取手部（Ａ）は、便座および／または便蓋とを持ち上げて開閉させても破損しない引張強度を有することが好ましい。特にカード形状である場合、かかる強度が考慮されることが好ましい。
【００２５】
さらには、図３で示されるように、前記取手部（Ａ）３４ａが、筒形状を有し、当該筒形状の内側において、前記取手部（Ａ）３４ａが取手保持部（Ｂ）３４ｂに挿入されている構造を採用することができる。この場合、付番３４ａで示すように、取手部（Ａ）が、円筒形などの筒形状（すなわち、円形、楕円形など（円筒形）、あるいは３角形、四角形などの多角形の断面を有するもの）である。
【００２６】
また、この場合、取手保持部（Ｂ）の形状は、図３（２）の付番３４ｂで示されるように、取手部（Ａ）を着脱可能な状態で挿入されるものであれば限定されず、取手部（Ａ）の形状に応じて適宜選択される。
【産業上の利用可能性】
【００２７】
本発明によれば、心理的又は衛生的な不安がなく又は少なく、衛生的に（特に清掃頻度の低い場合や便器使用者が多い場合であっても衛生的に）、便座及び／又は便蓋を開閉することができる便器用開閉補助具およびそれを用いた便器を提供することができる。
【符号の説明】
【００２８】
１０：便器  
１１：便器本体
１２、２２、３２：便座
１３：便蓋
１４、２４、３４：本発明の便器用開閉補助具
１４ａ、２４ａ、３４ａ：  取手部（Ａ）
１４ｂ、２４ｂ、３４ｂ：  取手保持部（Ｂ）
２４ｃ：挟圧手段
【図１】
2020178934.tif 000003
【図２】
2020178934.tif 000004
【図３】
2020178934.tif 000005
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
便座および／または便蓋に設置され、当該便座および／または便蓋を開閉するために用いられる便器用開閉補助具であって、
便座および／または便蓋を開閉するために用いられる取手部（Ａ）と、当該取手部（Ａ）を着脱可能に保持する取手保持部（Ｂ）とを有することを特徴とする便器用開閉補助具。
【請求項２】
前記取手保持部（Ｂ）が挟圧手段を有し、かつ取手部（Ａ）が当該挟圧手段により着脱可能に保持されていることを特徴とする請求項１に記載の開閉補助具。
【請求項３】
前記取手部（Ａ）が、筒形状を有し、かつ当該筒形状の内側において、前記取手部（Ａ）に取手保持部（Ｂ）が挿入されていることを特徴とする請求項１に記載の開閉補助具。
【請求項４】
請求項１〜３の何れか一項に記載の開閉補助具が、便座及び／又は便蓋に設置されていることを特徴とする便器。
【手続補正２】
【補正対象書類名】明細書
【補正対象項目名】０００７
【補正方法】変更
【補正の内容】
【０００７】
［１］本発明に係る便器用開閉補助具は、便座および／または便蓋に設置され、当該便座および／または便蓋を開閉するために用いられる便器用開閉補助具であって、便座および／または便蓋を開閉するために用いられる取手部（Ａ）と、当該取手部（Ａ）を着脱可能に保持する取手保持部（Ｂ）とを有することを特徴とする。
［２］本発明の便器用開閉補助具においては、前記取手保持部（Ｂ）が挟圧手段を有し、かつ取手部（Ａ）が当該挟圧手段により着脱可能に保持されていることが好ましい。
［３］本発明の便器用開閉補助具においては、前記取手部（Ａ）が、筒形状を有し、かつ当該筒形状の内側において、前記取手部（Ａ）に取手保持部（Ｂ）が挿入されていることが好ましい。
［４］さらには、本発明に係る便器は、上記何れかの便器用開閉補助具が、便座及び／又は便蓋に設置されていることを特徴とする。
【手続補正３】
【補正対象書類名】明細書
【補正対象項目名】００２５
【補正方法】変更
【補正の内容】
【００２５】
さらには、図３で示されるように、前記取手部（Ａ）３４ａが、筒形状を有し、当該筒形状の内側において、前記取手部（Ａ）に取手保持部（Ｂ）が挿入されている構造を採用することができる。この場合、付番３４ａで示すように、取手部（Ａ）が、円筒形などの筒形状（すなわち、円形、楕円形など（円筒形）、あるいは３角形、四角形などの多角形の断面を有するもの）である。
【手続補正４】
【補正対象書類名】明細書
【補正対象項目名】００２６
【補正方法】変更
【補正の内容】
【００２６】
また、この場合、取手保持部（Ｂ）の形状は、図３（２）の付番３４ｂで示されるように、取手部（Ａ）に着脱可能な状態で挿入されるものであれば限定されず、取手部（Ａ）の形状に応じて適宜選択される。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
便座および／または便蓋に設置され、当該便座および／または便蓋を開閉するために用いられる便器用開閉補助具であって、
便座および／または便蓋を開閉するために用いられる取手部（Ａ）と、当該取手部（Ａ）を着脱可能に保持する取手保持部（Ｂ）とを有し、
前記取手保持部（Ｂ）が、取手部（Ａ）を挟みながら取手部（Ａ）に圧力を加えることによって保持する挟圧手段を有し、かつ取手部（Ａ）が当該挟圧手段により着脱可能に保持されていることを特徴とする開閉補助具。
【請求項２】
便座および／または便蓋に設置され、当該便座および／または便蓋を開閉するために用いられる便器用開閉補助具であって、
便座および／または便蓋を開閉するために用いられる取手部（Ａ）と、当該取手部（Ａ）を着脱可能に保持する取手保持部（Ｂ）とを有し、
前記取手部（Ａ）が、筒形状を有し、かつ当該筒形状の内側において、前記取手部（Ａ）に取手保持部（Ｂ）が挿入されていることを特徴とする開閉補助具。
【請求項３】
請求項１又は２に記載の開閉補助具が、便座及び／又は便蓋に設置されていることを特徴とする便器。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
便座および／または便蓋に設置され、当該便座および／または便蓋を開閉するために用いられる便器用開閉補助具であって、
便座および／または便蓋を開閉するために用いられる取手部（Ａ）と、当該取手部（Ａ）を着脱可能に保持する取手保持部（Ｂ）とを有し、
前記取手保持部（Ｂ）が、取手部（Ａ）を挟みながら取手部（Ａ）に圧力を加えることによって保持する挟圧手段を有し、かつ取手部（Ａ）が当該挟圧手段により着脱可能に保持されていることを特徴とする開閉補助具。
【請求項２】
請求項１に記載の開閉補助具が、便座及び／又は便蓋に設置されていることを特徴とする便器。